(57)【要約】【課題】通信機能を容易に拡張する手段が提供されているが、通信が行える状態になるまでには、ユーザーが各種パラメータの設定等、様々な手順を要する。【解決手段】ホスト機器Ａ１００に通信相手となるホスト機器Ｂ１１０のカード型通信モジュールＢ１１１を装着し、ホスト機器Ａ１００はカード型通信モジュールＢ１１１よりホスト機器Ｂ１１０と無線通信を行うために必要な接続パラメータ情報を取得する。同様に、ホスト機器Ｂ１１０はホスト機器Ａ１００のカード型通信モジュールＡ１０１より必要な接続パラメータ情報を取得する。次に、ホスト機器Ａ１００にカード型通信モジュールＡ１０１、ホスト機器Ｂ１１０にカード型通信モジュールＢ１１１を装着し、各々カード型通信モジュールより必要な接続情報を取得して、通信を開始する。【選択図】図１
2005318048.tif 000002
【特許請求の範囲】
【請求項１】
脱着可能な通信モジュールを装着し、前記通信モジュールを介して無線通信を行う通信装置間の無線通信接続方法であって、
無線通信を開始する前に、通信装置間で通信モジュールを交換して装着し、無線通信に必要な通信相手の接続情報を前記通信モジュールに記憶させた後、
前記通信モジュールを再び交換して、前記通信モジュールに記憶された前記通信相手の接続情報を取得し、前記接続情報を用いて、前記通信相手との無線通信接続を行うことを特徴とする無線通信接続方法。
【請求項２】
脱着可能な通信モジュールを装着し、前記通信モジュールを介して無線通信を行う通信装置であって、
前記通信モジュールと通信を行い、前記通信モジュールが保持している通信相手の接続情報を取得し、自身の接続情報を前記通信モジュールに記憶させる通信モジュール通信部と、
前記通信モジュール通信部が取得した接続情報を保存する通信モジュール情報記憶部と、
前記通信モジュール情報記憶部に保存された接続情報を用いて、前記通信相手との無線通信接続を行う外部装置無線制御アプリケーション部とを備えたことを特徴とする通信装置。
【請求項３】
接続情報は、通信相手の通信装置に装着される通信モジュールの識別ＩＤであることを特徴とする請求項２記載の通信装置。
【請求項４】
接続情報は、無線通信接続に必要なパラメータであることを特徴とする請求項２記載の通信装置。
【請求項５】
脱着可能で、ホスト機器に装着されて無線通信を行うことが可能な無線通信モジュールであって、
前記ホスト機器と通信を行うホスト機器通信部と、
前記ホスト機器の制御に従って、通信相手との間で無線通信を行う外部装置通信部と、
前記ホスト機器の制御に従って、前記ホスト機器通信部を介して出力される前記ホスト機器の接続情報を記憶する不揮発性メモリとを備え、
前記ホスト機器通信部は、前記ホスト機器の制御に従って、前記不揮発性メモリに記憶している情報を前記ホスト機器に出力することを特徴とする無線通信モジュール。
【請求項６】
接続情報は、通信相手の通信装置に装着される通信モジュールの識別ＩＤであることを特徴とする請求項５記載の通信モジュール。
【請求項７】
接続情報は、無線通信接続に必要なパラメータであることを特徴とする請求項５記載の通信モジュール。
【発明の詳細な説明】
【技術分野】
【０００１】
本発明は無線通信システムにおける簡易パラメータ設定および接続方法に関するものである。
【背景技術】
【０００２】
SDIO（Secure Digital Input/Output Card）無線カード等のようなカード型通信モジュールの開発・普及に伴い、カードスロットを設けることで従来無線機能を有していなかった機器に、カード型通信モジュールをカードスロットに挿入することによって、容易に無線機能を拡張する環境が整ってきた。
【０００３】
無線通信を開始するまでには、各種パラメータの設定や接続までに接続先の決定、接続等、様々な手順が必要となる。また、パラメータの設定や接続先の決定の際に、入力用のデバイス及び入力したパラメータ値及び接続先の表示用デバイスを必要とする。また、無線通信方式により、設定するパラメータや名称が異なり、各パラメータに関する知識を有する必要がある。
【０００４】
従来の無線通信接続方法としては、無線接続を行う前に、ケーブル等を使用して、有線接続を行い、設定パラメータ及び接続先の選択パラメータの共有を行う方法があった（例えば、特許文献１参照）。
【特許文献１】特開２００２−３１２１５５号公報
【発明の開示】
【発明が解決しようとする課題】
【０００５】
しかしながら、従来の無線通信接続方法においては、優先接続を行うため別途ケーブルが必要となり、有線接続から脱却できない欠点があった。
【０００６】
また、接続するためには様々なパラメータの設定や接続先決定の必要があり、入力デバイスや表示デバイスを有していないもしくは有していても高機能でない機器では、パラメータや接続先決定の入力、確認する手段が別途必要となるもしくは機能が一部制限されるという課題があった。
【課題を解決するための手段】
【０００７】
上記課題を解決するために、本発明の無線通信接続方法は、ホスト機器に通信相手の通信モジュールを装着し、お互いの各接続パラメータ情報を交換し、通信モジュールを入れ替えることにより、接続パラメータの共有、接続先情報の共有を行う。
【発明の効果】
【０００８】
本発明により、無線通信を行う前に、有線接続することなく、通信接続先の自動選択が可能になり、接続手順の簡略化が行える。
【０００９】
また、接続に必要な接続先の指定をする必要がなくなる。
【００１０】
また、接続に必要となるパラメータの共有をユーザーが意識しないで行えるため、各パラメータの入力の必要性が無くなり、無線に関する知識を有しないユーザーにも容易に無線接続を行うことができる。
【発明を実施するための最良の形態】
【００１１】
（実施の形態１）
以下、図面を用いて本発明の無線通信接続方法を説明する。
【００１２】
図１に本発明の無線通信方法を説明するための模式図、図２はカード型通信モジュールの構成を示すブロック図、図３はホスト機器の構成を示すブロック図、図４は本発明の無線通信接続方法を示すフローチャート、図５は接続を許可する動作を示すフローチャートである。
【００１３】
図１は、カード型通信モジュールＡはホスト機器Ａ１００、カード型通信モジュールＢはホスト機器Ｂ１１０の通信モジュールである。
【００１４】
図２において、外部装置無線通信部２００は外部装置との無線通信を行い、不揮発性メモリ２０１は無線通信に必要な情報を記憶し、ホスト機器通信部２０２は装着されたホスト機器と通信を行う。
【００１５】
図３において、通信モジュール通信部３０１は、通信モジュール装着口３００に装着された通信モジュールと通信を行い、必要な情報を通信モジュール情報保存領域３０３に記憶させ、外部装置無線制御アプリケーション部３０２は外部装置との無線通信を制御する。
【００１６】
以下、図面を用いて、本発明の無線通信方法について説明する。
【００１７】
まず、図１の上段に示すように、ホスト機器Ａ１００が無線接続を行うホスト機器Ｂ１１０に通信機能を実行するために装着するカード型通信モジュールＢ１１１をホスト機器Ａ１００の通信モジュール装着口に装着する（図４のステップ４０１）。カード型通信モジュールＢ１１１を装着されたホスト機器Ａ１００は通信モジュール通信部３０１を使用して、カード型通信モジュールＢ１１１のホスト機器通信部２０２と通信を行い、接続情報として、識別ID（例えば、Bluetoothの場合は、BD ADDR）の取得を行う。取得した識別IDはホスト機器Ａ１００の外部装置無線制御アプリケーション部３０２が通信を行う接続先の識別IDとして、通信モジュール情報保存領域３０３に保存する。
【００１８】
また、ホスト機器Ａ１００からは接続する際に必要な暗号化キー用のパラメータ（例えば、Bluetoothの場合は、ペアリングキー）をカード型通信情報モジュールＢ１１１に通知し、カード型通信情報モジュールＢ１１１は不揮発性メモリ２０１に本パラメータを保存する。認証・暗号化キー用のパラメータは、機器同士が共通のコードを有していればよいため、ユーザーが入力を行うのではなく、ホスト機器Ａ１００がランダムな値を生成し、認証・暗号化キー用パラメータとして使用する（図４のステップ４０２）。
【００１９】
上述の方法により、ユーザーは接続に必要な認証・暗号化キー用のパラメータを入力する必要がなく、ホスト機器Ａ１００についても、パラメータを入力するための機構を必要としない。
【００２０】
ホスト機器Ｂ１１０についても、前述しているホスト機器Ａ１００に行っていた手順をカード型通信モジュールＡ１０１と行う（図４のステップ４０１、ステップ４０２）。
【００２１】
通信に必要なパラメータの設定後、ホスト機器Ａ１００にカード型通信モジュールＡ１０１を装着し、カード型通信モジュールＡ１０１から、不揮発性メモリ２０１に記憶されているホスト機器Ｂ１１０が設定したパラメータの取得を行う。また、ホスト機器Ｂ１１０についても、カード型通信モジュールＢ１１１を装着し、カード型通信モジュールＢ１１１から、不揮発性メモリ２０１に記憶されているホスト機器Ａ１００が設定したパラメータの取得を行う（図４のステップ４０３、ステップ４０４）。
【００２２】
接続開始を行うホスト機器Ａ１００は、カード型通信情報モジュールＢ１１１が装着されたときに、通信モジュール情報保存領域３０３に保存している識別IDの読み込みを行い、識別IDに対して、接続開始（例えば、Bluetoothの場合はPageを行う）を行う（図４のステップ４０５）。
【００２３】
接続通知を受信したホスト機器Ｂ１１０は接続要求先の識別IDが、カード型通信情報モジュールＡ１０１が装着されたときに、通信モジュール情報保存領域３０３に保存した識別IDと同様の場合は接続許可を行い通信を開始し、異なる場合は接続拒否を行うことで、特定の機器とのみ接続を行うことを可能とする（図５のステップ５０１からステップ５０６）。
【００２４】
また、直接接続先の識別IDを情報として有しているため、接続手順の一つである探索処理（例えば、Bluetoothの場合は、Inquiry）を省くことができるため、接続手順の簡略化が図れる。
【００２５】
図６に接続要求側の動作を示すフローチャートを示す。
【００２６】
接続開始を行うホスト機器Ａ１００は、カード型通信情報モジュールＡ１０１を装着し、カード型通信情報モジュールＡ１０１から、不揮発性メモリに記憶されている接続先であるホスト機器Ｂ１１０の識別ＩＤを読み込み、ホスト機器Ｂに対して接続要求を実行する（図６のステップ６０１、ステップ６０２）。ホスト機器Ａ１００は、ホスト機器Ｂより接続許可通知を受信すると、通信を開始し（図６のステップ６０３、ステップ６０６）、接続不許可通知を受信すると、接続失敗と判断し、処理を終了する（ステップ６０４、ステップ６０７）。また、ホスト機器Ａは、所定の時間内に接続許可および不許可通知を受信しない場合には、接続タイムアウトが発生したと判断し、処理を終了する（図６のステップ６０５、ステップ６０７）。
【００２７】
接続手順の中で、認証・暗号化処理の手続きが発生した場合は、認証・暗号化キーを各ホスト機器がランダムに生成しているため、接続を行ったホスト機器が生成した認証・暗号化キーを使用することで、認証・暗号化キーの統一を図る。
【００２８】
具体的には前述に記載しているようにホスト機器Ａ１００から接続を行った場合に、認証・暗号化処理手順が開始すると、ホスト機器Ａ１００はカード型通信情報モジュールＢ１１１が装着されたときに生成した認証・暗号化キーを使用し、ホスト機器Ｂ１１０はカード型通信情報モジュールＢ１１１が装着されたときに、読み込んだ認証・暗号化キーを使用して、認証・暗号化処理を実施する。
【００２９】
なお、本発明においては、カード型通信モジュールを例にして説明したが、通信モジュールはカード型形状に限定するものではなく、アダプタ型通信モジュールであればよい。
【００３０】
また、接続情報として、識別ＩＤ、認証・暗号化キーを例にとって説明したが、これに限定するものではない。
【産業上の利用可能性】
【００３１】
本発明の通信設定方法は、ホスト機器と容易に脱着可能で、装着時、ホスト機器とのデータ通信を行うことができ、ホスト機器から受信したデータを確保する不揮発性メモリを有する全てのアダプタ型通信モジュールに適用できる。
【図面の簡単な説明】
【００３２】
【図１】本発明のパラメータ簡易設定・接続手順を説明する図
【図２】本発明のカード型通信モジュールの構成を示すブロック図
【図３】本発明のホスト機器の構成を示すブロック図
【図４】本発明の無線通信接続方法を説明するフローチャート
【図５】本発明における接続を許可する動作を説明するフローチャート
【図６】本発明における接続要求側の動作を説明するフローチャート
【符号の説明】
【００３３】
１００  ホスト機器Ａ
１０１  カード型通信モジュールＡ
１１０  ホスト機器Ｂ
１１１  カード型通信モジュールＢ
２００  外部装置無線通信部
２０１  通信パラメータ保存用不揮発性メモリ
２０２  ホスト機器通信部
３００  カード型通信モジュール装着口
３０１  カード型通信モジュール通信部
３０２  外部装置無線制御アプリケーション部
３０３  通信モジュール情報保存領域
【図１】
2005318048.tif 000003
【図２】
2005318048.tif 000004
【図３】
2005318048.tif 000005
【図４】
2005318048.tif 000006
【図５】
2005318048.tif 000007
【図６】
2005318048.tif 000008